(57)【要約】 【課題】鳥類の視覚を眩惑し、混乱状態に陥らせることによって鳥類を近寄らせず、他方人間にとっては眩惑することのない鳥類の視覚攪乱フィルム及びこれを用いた鳥害防止用袋を得ること。【解決手段】  紫外線発光性を有する顔料を含有させて成形した合成樹脂製フィルムであって、紫外線乃至近紫外線の短波長域の発光を増強させて鳥類の視覚を眩惑状態に陥らせる鳥類の視覚攪乱フィルムである。当該鳥類の視覚攪乱フィルムを用いて作成された鳥害防止用袋である。【選択図】      図１
2008043233.tif 000002
【特許請求の範囲】
【請求項１】
紫外線発光性を有する顔料を含有させて成形した合成樹脂製フィルムであって、紫外線乃至近紫外線の短波長域の発光を増強させて鳥類の視覚を眩惑状態に陥らせることを特徴とする鳥類の視覚攪乱フィルム。
【請求項２】
請求項１に記載の鳥類の視覚攪乱フィルムを用いて作成されたことを特徴とする鳥害防止用袋。
【請求項３】
紫外線発光顔料を合成樹脂製フィルムの全光透過率４０〜３０％に抑えるまで含有させたことを特徴とする請求項１記載の鳥類の視覚攪乱フィルム。
【請求項４】
紫外線発光顔料を合成樹脂製フィルムの全光透過率４０〜３０％に抑えるまで含有させたことを特徴とする請求項２記載の鳥害防止用袋。
【発明の詳細な説明】
【技術分野】
【０００１】
本発明は、鳥類特にカラス、ムクドリ、ヒヨドリ等による農作物への食害を防ぐ果実等の保護袋や、カラスによる生ゴミ荒らし等に有効に対処可能なゴミ袋に用いられる鳥類の視覚攪乱フィルム及びこれを用いた鳥害防止用袋に関する。
【背景技術】
【０００２】
鳥類特にカラス等による生ゴミ荒らし等に対処するための技術として、ゴミ袋等に用いられるフィルムにおいて内容物が視認できないようにした下記特許文献１記載のものがある。しかし、果実等の食害を防ぐ保護袋に好適なフィルム及びこれを用いた鳥害防止用袋は存在しない。
又、鳥の視覚について下記非特許文献１及び２に記載がある。
【０００３】
【特許文献１】特開２００５−２００１４７号公報
【非特許文献１】（社）日本動物学会関東支部編「生き物はどのように世界を見ているか」株式会社学会出版センタ−  ２００１年１１月１０日発行 第６４頁〜第６７頁
【非特許文献２】杉田昭栄著「カラスとかしこく付き合う法」株式会社草思社２００２年１２月２日発行  第１１２頁〜第１１６頁
【発明の開示】
【発明が解決しようとする課題】
【０００４】
前記特許文献１に記載のフィルムは、全光線透過率が２０％以上であって、３００ｎｍ〜６００ｎｍの波長域の光線透過率が５０％以下にとられている。非特許文献１及び２の記載によれば、鳥類には紫外線乃至近紫外線が見えていること判る。鳥類の網膜には人間がもっていない短波長の紫外線乃至近紫外線を感じる視物質（蛋白質）が存在することが知られている。特許文献１に記載のフィルムは、主として短波長の部分を吸収して害鳥にゴミ袋の中味を見えないようにしたものである。
しかしながら、特許文献１に記載のフィルムは短波長の部分を吸収して光線透過率を下げているので、鳥は内容物を視認できないものの、一方、人間にとっても可視性が失われることは、袋を通して内容物の確認が困難となる等の不具合を生じる問題があった。
又このフィルムでは、果実等の熟れ具合が判らないので食害を防ぐ保護袋としては有効ではない。
これに対し、本発明は鳥類の視覚その他特性についての本発明者の知見に基づき、特許文献１に記載のフィルムとは全く逆転した発想で、紫外線乃至近紫外線の短波長域を反射等により積極的に増強することにより、鳥類の視覚を眩惑し、混乱状態に陥らせることによって鳥類を近寄らせず、他方人間にとっては短波長域は感じることがなく、眩惑することのない鳥類の視覚攪乱フィルム及びこれを用いた鳥害防止用袋を得ることを目的とする。
【課題を解決するための手段】
【０００５】
この目的を達成するために、
請求項１に記載の発明にあっては、紫外線発光性を有する顔料を含有させて成形した合成樹脂製フィルムであって、紫外線乃至近紫外線の短波長域の発光を増強させて鳥類の視覚を眩惑状態に陥らせる鳥類の視覚攪乱フィルムにより解決した。
請求項２に記載の発明にあっては、鳥類の視覚攪乱フィルムを用いて作成された鳥害防止用袋により解決した。
【発明の効果】
【０００６】
本発明の鳥類の視覚攪乱フィルム及びこれを用いた鳥害防止用袋によれば、鳥類の視覚を眩惑、混乱状態に陥らせることによって鳥を近寄らせず、他方人間にとっては低波長域は感じることがないため、眩惑を感じることがないので中味の確認を容易且つ確実に行うことができ、又果実等の農作物への食害を防ぎ、生ゴミ荒らしに有効に対処可能である。
【発明を実施するための最良の形態】
【０００７】
図１は、色を見る視物質の吸収スペクトルのグラフであって、（ａ）ヒト、（ｂ）ニワトリの場合を示す。
図１は、非特許文献１の第６４頁に記載されたものと同様であって、人間（ヒト）と鳥類（ニワトリ）の場合について、色を見る視物質の吸収スペクトルを、縦軸に吸光度，横軸に波長（ｎｍ）をとって示したものである。ここで紫外線乃至近紫外線の短波長の部分を二点鎖線で示している。
図１及び非特許文献１の第６４頁、第６５頁の記載をみると、ヒトの眼の網膜でよく感ずる視物質で、光を吸収しやすいのは、短波長から長波長へ青、緑、赤にそれぞれピークが形成されている。そして、緑と赤はあまり離れておらず、青だけが特別離れた位置にある。
これに対し、ニワトリでは短波長から長波長へ視物質の吸収スペクトルが紫、青、緑、赤にそれぞれピークが形成され、４つがほぼ等間隔で並んでいる。これは、ヒトは三原色で色を組み立てるのに対し、鳥は四原色で色を組み立てることを意味し、鳥はヒトより色の分解能が高いことを示している。
鳥類の眼については、本発明者の著書である非特許文献２の第１１２頁〜第１１６頁の記載にあるとおり、解剖学的見地からいってニワトリとカラスで大差はなく、視細胞にはフィルターの役割を果たす油球という人間には全く存在しない独特の構成を有している。
そこで、本発明では、紫外線発光性を有する顔料を含有させて成形した合成樹脂製フィルムであって、鳥類の視覚に対して紫外線乃至近紫外線の短波長域を強調せしめる構成とする。すると、例えば、果実が熟したときには、糖度の変化等によって発光波長が変化し、これを鳥が敏感に察知し、熟した果実に寄ってきて、これを突いて果実の商品価値を著しく損じしてしまう怖れがある。しかし、本発明の鳥類の視覚攪乱フィルムでは、人間では全くピークがなく感じることのない紫部分が鳥類には存在するので、この紫外線、近紫外線の短波長の域を逆に強調し鳥類の視覚を眩惑、混乱状態に陥らせることによって鳥類が中味を特定できないものとする。
即ち、図１下方（ｂ）においては、紫外線乃至近紫外線の短波長領域（図１の二点鎖線で示す部分）において吸光度のピークが存在し、もしフィルムに当該領域における発光を促す顔料が所定量存在すれば、このピークの存在により鳥類の視覚に強い吸収が生じ、且つ、強調されることとなり、視覚に眩惑、混乱状態が惹起されるものとなる。
その結果、鳥類を近寄らせず、果実の商品価値を損じることがない等の作用効果が得られるのである。
一方において、人間にとっては、図１上方（ａ）における如く、上記図１の二点鎖線で示す部分の領域に紫外線、近紫外線の吸光のピークは存在しないので、もしフィルムに当該領域における発光を促す顔料が存在しても、人間の目には吸収が起こらず、短波長域は感じることがなく、眩惑することがない。従って、そのまま果実の成熟を観察することができ、収穫作業等への不都合がまったく生じない。
又、この作用効果は、果実の成熟に限らず、ゴミ袋等においても同様で、ゴミ袋を突こうとするカラスに対して、紫外線乃至近紫外線の短波長域を強調せしめることで視覚の眩惑、混乱状態としてゴミ袋の中味を特定できないものとし、カラス等を近寄らせない作用効果が得られる。一方で、人間の目にはその内容が確認できるので廃棄作業等に支障が生じない。
尚、本発明は鳥類の視覚撹乱フィルム及びそれを用いた鳥害防止用袋であり、人間にとっては内容物を確認できる程度の可視性が確保されれば良く、より長波長域を吸収させて半透明状態となるものを除外するものではない。
【０００８】
本発明の鳥類の視覚攪乱フィルムでは、紫外線乃至近紫外線の短波長域を強調するために、紫外線発光性をもった顔料を含んだ構成とするが、具体例として例えば橙色蛍光顔料（大日精化工業株式会社製）、無機蛍光体（ＤＡＹ−ＧＬＯ社製）等が用いられる。
フィルムとしては、通常取り扱い性、成形性等から熱可塑性合成樹脂、例えばポリエチレン、ポリプロピレン、ポリ塩化ビニル、ポリスチレン、ポリエステル等の汎用樹脂の単独又は組合わせたものが用い得る。又環境対策として、生分解性樹脂例えばポリ乳酸等を用いることもできる。しかしこれらに限定されない。厚さは通常１０〜１００μｍのものが用いられる。
フィルム成形としては、カレンダ−、押出し、キャスト等の常法でなされ、前記した紫外線発光性をもった顔料を成形時に樹脂原料に添加してなされる。
また上記紫外線発光顔料は、フィルム袋素材の全光透過率を４０〜３０％に抑えるまで含有させることが望ましい。
【０００９】
本発明の鳥類の視覚攪乱フィルムを用いた鳥害防止用袋は、常法に従って大小のものが作成される。
【産業上の利用可能性】
【００１０】
本発明の鳥類の視覚攪乱フィルム及びこれを用いた鳥害防止用袋は、鳥類による農作物への食害を防ぐ果実の保護袋等として、又は鳥類を近寄らせることのないゴミ袋等として広範囲に有効に利用可能である。
【図面の簡単な説明】
【００１１】
【図１】色を見る視物質の吸収スペクトルのグラフであって、（ａ）ヒト、（ｂ）ニワトリの場合を示す。
【図１】
2008043233.tif 000003